(57)【特許請求の範囲】
【請求項１】
洪水、冠水などに際し、家屋や建物の玄関口あるいは地下鉄や地下道の入口を囲むように複数の止水体を連結して浸水を防止する止水壁であって、この止水壁を構成する止水体は、可撓性を有する側壁板を備え、その側壁板は、下端部を自由端とした逆Ｕ字状の断面形状であり、前記複数の止水体の連結時に隣接する一方の止水体の側壁板の自由端を前後方向に開いて隣接する他方の側壁板に重ね合わせることによって止水体を相互に連結して成ることを特徴とする止水壁。
【請求項２】
前記止水壁を構成する止水体は、前記側壁板が逆Ｕ字状で形成されるとともに、隣接する止水体の一方の側壁板の連結端部に防水パッキンを装着し、この防水パッキンを圧縮させた状態で隣接する側壁板を重ね合わせたことを特徴とする請求項１記載の止水壁。
【請求項３】
前記止水壁は、前記側壁板がＬ字に屈曲して形成される第１の止水体と、側壁板が直線状に形成される第２の止水体を備え、前記第１の止水体をコーナ部に配置して第２の止水体と組み合わせて家屋や建物の玄関口あるいは地下鉄や地下道の入口を囲むようにコ字型に設置したことを特徴とする請求項１又は２記載の止水壁。
【請求項４】
前記止水壁を構成する止水体は、接地する下端に防水パッキンを装着したことを特徴とする請求項１から３の何れか１項記載の止水壁。
【請求項５】
前記止水壁を構成する止水体は、その逆Ｕ字状の頂点部に、隣接した止水体を係止する係止手段を有することを特徴とする請求項１から４の何れか１項記載の止水壁。
【請求項６】
前記係止手段は、隣接する止水体の双方に、止水体の長手方向に沿って形成される中空の管状体を設けて、該管状体の中空部に略同径の係止棒を挿通させたものであることを特徴とする請求項５記載の止水壁。
【請求項７】
前記止水壁を構成する止水体は、左右に配置された端部止水体と連結部止水体とから成り、前記左右の端部止水体を剛性の高い部材によって形成すると共に、前記連結部止水体を弾性変形可能な部材によって形成し、前記連結部止水体によって前記左右の端部止水体を連結したことを特徴とする請求項１から６の何れか１項記載の止水壁。
【請求項８】
洪水、冠水などに際し、家屋や建物の玄関口あるいは地下鉄や地下道の入り口を囲うように複数個の止水体を連結することで、浸水を防止する止水壁を構成する止水体であって、該止水壁を構成する止水体は、可撓性を有する側壁板を備え、該側壁板は、下端部を自由端とした逆Ｕ字状の形状であり、前記側壁板の可撓性により自由端を前後方向に開ける構成とし、複数の前記止水体の連結時に隣接する一方の止水体の側壁板の自由端を開いて隣接する他方の側壁板に重ね合わせることによって相互に連結可能としたことを特徴とする止水体。
【発明の詳細な説明】
【技術分野】
【０００１】
本発明は、洪水、冠水などに際し、家屋や建物の玄関口あるいは地下鉄や地下道の入口への浸水を防止するための止水壁、及び、止水壁を構成する止水体に関する。
【背景技術】
【０００２】
近年、狭い地域内に時間当たり１００ミリを越えるような集中豪雨が多発しており、河川の決壊などによる家屋の浸水や都市部において地下鉄や地下道への浸水が問題となっている。このような水害事故の恐れが生じた場合には、通常、土嚢等を積んで水の侵入を阻止することが行われている。このような、土嚢として、特許文献１には、袋状に形成された透水性カバーで構成され、その透水性カバー内に吸水性高分子を有する吸水体を充填するとともに、前記透水性カバーの一部又は全部を覆設する不透水性フィルムを備え水土嚢が提案されている。特許文献２には、雨水検知手段の出力信号により作動して降下路を遮断し、地下への雨水の流入を防止する止水装置などが提案されている。
【０００３】
【特許文献１】特開２００３−２０６２６号公報
【特許文献２】特開２００５−２８２１７２号公報
【発明の開示】
【発明が解決しようとする課題】
【０００４】
特許文献１に示す水土嚢は、透水性カバーの中に吸水性高分子を有する吸水体を内蔵しているので、浸水あるいは冠水の危険箇所に設置するだけで、吸水性高分子が水を吸収してゲル化し、これらの水によって膨潤した水土嚢同士でバリアを形成し、水漏れすることなく水の浸入を阻止することができるものであるが、一旦、使用した後、再利用することができず、一般家庭や小規模な店舗や工場などにおいてコスト的に不利であるとともに、水を吸収して止水用のバリアとすることから、初期の段階において、雨水などによって流れてしまうことが懸念され、水を吸収して安定化するまで、監視する必要があるなど、使い勝手が悪い。一方、特許文献２に示す地下への雨水流入防止装置は、地下への雨水の流入を防止するものであって、地下へと通じる降下路にワイヤにより吊り下げた止水体を昇降自在に配置し、モータによって駆動し、雨水検知手段によって、モータを制御することによって、止水装置は作動して地下への雨水の流入を阻止するものであるから、極めて導入コストが高いため、大規模な施設等では導入できても、小さな事業所や店舗、或いは個人の住宅等の小規模な施設や建物に普及させるのは導入コストの面で導入が困難であった。
【０００５】
本発明は上述した問題点に鑑みてなされたものであり、小規模な施設や個人住宅において、導入コストを低減することができるとともに、雨水の流入を確実に防止して家屋あるいは地下浸水を防止することができる止水壁を提供することを目的とする。
【課題を解決するための手段】
【０００６】
請求項１の止水壁は、洪水、冠水などに際し、家屋や建物の玄関口あるいは地下鉄や地下道の入口を囲むように複数の止水体を連結して浸水を防止する止水壁であって、この止水壁を構成する止水体は、可撓性を有する側壁板を備え、その側壁板は、下端部を自由端とした逆Ｕ字状の断面形状であり、前記複数の止水体の連結時に隣接する一方の止水体の側壁板の自由端を前後方向に開いて隣接する他方の側壁板に重ね合わせることによって止水体を相互に連結して成ることを特徴とする。
【０００７】
請求項１の構成により、止水壁を相互に連結して家屋や建物の玄関口あるいは地下鉄や地下道の入口を囲むことによって雨水をせき止めるバリアたる止水壁を構築し、集中豪雨などによる浸水を効果的に防ぐことができる。
【０００８】
請求項２の止水壁は、請求項１記載の止水壁において、前記止水壁を構成する止水体は、前記側壁板が逆Ｕ字状で形成されるとともに、隣接する止水体の一方の側壁板の連結端部に防水パッキンを装着し、この防水パッキンを圧縮させた状態で隣接する側壁板を重ね合わせたことを特徴とする。
【０００９】
請求項２の構成により、止水体間に防水パッキンが挟まれて圧縮し、止水体間の隙間を塞いで止水壁で囲まれた内側の空間への浸水を防止することができる。
【００１０】
請求項３の止水壁は、請求項１又は２記載の止水壁において、前記止水壁は、前記側壁板がＬ字に屈曲して形成される第１の止水体と、側壁板が直線状に形成される第２の止水体を備え、前記第１の止水体をコーナ部に配置して第２の止水体と組み合わせて家屋や建物の玄関口あるいは地下鉄や地下道の入口を囲むようにコ字型に設置したことを特徴とする。
【００１１】
請求項３の構成により、第１及び第２の止水体を組み合わせて家屋や建物の玄関口あるいは地下鉄や地下道の入口を囲むことで、集中豪雨などによる浸水を効果的に防ぐことができる。
【００１２】
請求項４の止水壁は、請求項１から３の何れか１項記載の止水壁において、前記止水壁を構成する止水体は、接地する下端に防水パッキンを装着したことを特徴とする。
【００１３】
請求項４の構成により、止水壁を接地した際の地面の凹凸に対して、防水パッキンがフィットすることで、下方からの内側への浸水を効果的に防ぐことができる。
【００１４】
請求項５の止水壁は、請求項１から４の何れか１項記載の止水壁において、前記止水壁を構成する止水体は、その逆Ｕ字状の頂点部に、隣接した止水体を係止する係止手段を有することを特徴とする。
【００１５】
請求項５の構成により、止水体の上下方向のずれを防ぐことができ、ずれによって生じる隙間からの浸水を防止することができる。
【００１６】
請求項６の止水壁は、請求項５記載の止水壁において、前記係止手段は、隣接する止水体の双方に、止水体の長手方向に沿って形成される中空の管状体を設けて、該管状体の中空部に略同径の係止棒を挿通させたものであることを特徴とする。
【００１７】
請求項６の構成により、隣接する止水体に設けられる管状の係止部に係止棒を挿通させることで、止水体が上下方向のずれを確実に防止することができる。
【００１８】
請求項７の止水壁は、請求項１から６の何れか１項記載の止水壁において、前記止水壁を構成する止水体は、左右に配置された端部止水体と連結部止水体とから成り、前記左右の端部止水体を剛性の高い部材によって形成すると共に、前記連結部止水体を弾性変形可能な部材によって形成し、前記連結部止水体によって前記左右の端部止水体を連結したことを特徴とする。
【００１９】
請求項７の構成により、例えば所定の曲率でカーブする道路沿いに止水壁を適用する際に、道路の形状に合わせて止水壁を適宜湾曲させることができる。
【００２０】
請求項８の止水体は、洪水、冠水などに際し、家屋や建物の玄関口あるいは地下鉄や地下道の入り口を囲うように複数個の止水体を連結することで、浸水を防止する止水壁を構成する止水体であって、該止水壁を構成する止水体は、可撓性を有する側壁板を備え、該側壁板は、下端部を自由端とした逆Ｕ字状の形状であり、前記側壁板の可撓性により自由端を前後方向に開ける構成とし、複数の前記止水体の連結時に隣接する一方の止水体の側壁板の自由端を開いて隣接する他方の側壁板に重ね合わせることによって相互に連結可能としたことを特徴とする。
【００２１】
請求項８の止水体の構成により、止水体を相互に連結して家屋や建物の玄関口あるいは地下鉄や地下道の入口を囲むことによって雨水をせき止める止水壁を構築し、集中豪雨などによる浸水を効果的に防ぐことができる。
【発明の効果】
【００２２】
請求項１の止水壁によれば、洪水、冠水などに際し、家屋や建物の玄関口あるいは地下鉄や地下道の入口を囲むように複数の止水体を連結して浸水を防止する止水壁であって、この止水壁を構成する止水体は、可撓性を有する側壁板を備え、その側壁板は、下端部を自由端とした逆Ｕ字状の断面形状であり、前記複数の止水体の連結時に隣接する一方の止水体の側壁板の自由端を前後方向に開いて隣接する他方の側壁板に重ね合わせることによって止水体を相互に連結して成るものであるから、構造が簡単で製造コストも安価に抑えられるとともに、軽量で取り扱いに便利であるとともに、連結時において、側壁板下端部を開いて弾性復元力によって隣接する止水体に被せるだけで、極めて簡単かつ迅速に連結することができる。また、止水体を相互に連結して家屋や建物の玄関口あるいは地下鉄や地下道の入口を囲むことによって、集中豪雨などによる浸水を効果的に防ぐことができる。
【００２３】
請求項２の止水壁によれば、請求項１記載の止水壁において、前記止水壁を構成する止水体は、前記側壁板が逆Ｕ字状で形成されるとともに、隣接する止水体の一方の側壁板の連結端部に防水パッキンを装着し、この防水パッキンを圧縮させた状態で隣接する側壁板を重ね合わせたものであるから、止水体間の隙間を効果的に塞いで止水壁で囲まれた内側の空間への浸水を防止することができる。
【００２４】
請求項３の止水壁によれば、請求項１又は２記載の止水壁は、前記止水壁は、前記側壁板がＬ字に屈曲して形成される第１の止水体と、側壁板が直線状に形成される第２の止水体を備え、前記第１の止水体をコーナ部に配置して第２の止水体と組み合わせて家屋や建物の玄関口あるいは地下鉄や地下道の入口を囲むようにコ字型に設置したものであるから、玄関口あるいは入口の大きさに合わせて連結した止水体の個数によって長さを調整することが可能であり、汎用性にも優れるとともに、上下に重ね合わせて保管できるので、保管場所の省スペース化も可能である。
【００２５】
請求項４の止水壁によれば、請求項１から３の何れか１項記載の止水壁は、前記止水壁を構成する止水体は、接地する下端に防水パッキンを装着したものであるから、例えば凹凸の激しいコンクリート等であっても、防水パッキンが止水壁の重量によって凹凸を吸収することができ、止水壁と地面との間の隙間を効果的に塞ぎ、止水壁で囲まれた内側の空間への下方からの浸水を防止することができる。
【００２６】
請求項５の止水壁によれば、請求項１から４の何れか１項記載の止水壁は、前記止水壁を構成する止水体は、その逆Ｕ字状の頂点部に、隣接した止水体を係止する係止手段を有するものであるから、止水壁使用時の止水体の上下方向のずれによる隙間の発生を防止し、止水壁で囲まれた内側の空間への下方からの浸水を防止することができる。
【００２７】
請求項６の止水壁によれば、請求項５記載の止水壁は、前記係止手段は、隣接する止水体の双方に、止水体の長手方向に沿って形成される中空の管状体を設けて、該管状体の中空部に略同径の係止棒を挿通させたものであるから、止水壁を組み上げる際に、上下方向にずれることを防止すると共に、止水壁を組み上げて使用する際にも、水圧によって止水壁がずれ、隙間が発生する虞を低減させることができる。
【００２８】
請求項７の止水壁によれば、請求項１から６の何れか１項記載の止水壁は、前記止水壁を構成する止水体は、左右に配置された端部止水体と連結部止水体とから成り、前記左右の端部止水体を剛性の高い部材によって形成すると共に、前記連結部止水体を弾性変形可能な部材によって形成し、前記連結部止水体によって前記左右の端部止水体を連結したしたので、直線ではない地形であっても、その地形に合わせて柔軟に止水体を撓ませることができ、効果的に浸水の防止を行うことができる。
【００２９】
請求項８の止水体によれば、洪水、冠水などに際し、家屋や建物の玄関口あるいは地下鉄や地下道の入り口を囲うように複数個の止水体を連結することで、浸水を防止する止水壁を構成する止水体であって、該止水壁を構成する止水体は、可撓性を有する側壁板を備え、該側壁板は、下端部を自由端とした逆Ｕ字状の形状であり、前記側壁板の可撓性により自由端を前後方向に開ける構成とし、複数の前記止水体の連結時に隣接する一方の止水体の側壁板の自由端を開いて隣接する他方の側壁板に重ね合わせることによって相互に連結可能としたことにより、構造が簡単で製造コストも安価に抑えられるとともに、軽量で取り扱いに便利であるとともに、連結時において、側壁板下端部を開いて弾性復元力によって隣接する止水体に被せるだけで、極めて簡単かつ迅速に連結することができる。
【発明を実施するための最良の形態】
【００３０】
以下、本発明の具体的実施例について、添付図面を参照しながら説明する。なお、以下の実施態様は、本発明を具体化する際の一形態であって、本発明をその範囲内に限定するためのものではない。
【００３１】
図１〜図６は本発明の一実施例を示すものであり、図１は本発明の一実施例を示す止水壁の斜視図、図２は止水壁の連結部分を示す断面図、図３は連結金具を示す要部の斜視図、図４は図１に示す構成とは異なる止水体を用いた止水壁の斜視図、図５は設置状態を示す説明図、図６は別の実施態様の止水体を示す斜視図である。
【００３２】
図１に示すように、Ｌ字に屈曲した第１の止水体１Ａと横方向に連続する第２の止水体１Ｂとを相互に連結して構成した止水壁によって家屋や建物の玄関口あるいは地下鉄や地下道の入口を囲むようにして設置する。この第１の止水体１Ａ及び第２の止水体１Ｂは、それぞれ金属製板材からなり、相対向する側壁板２，２を有する逆Ｕ字型に成形されている。
【００３３】
止水体１Ａ,１Ｂの一端縁部には、図２に示すように、止水体１Ａ,１Ｂの内面側に位置して防水パッキン３が縦方向に適宜手段、例えば接着固定され、この防水パッキン３を覆うように、止水体１Ａ,１Ｂを連結することによって、止水体１Ａ,１Ｂによって雨水の侵入を防止する止水壁５（バリア）を構築する。すなわち、止水体１Ａ,１Ｂの側壁板２，２は、下端部が自由端であるから前後方向に撓んで弾性復元力によって初期の状態で弾性復帰する。したがって、止水体１Ａ,１Ｂの一端縁部に設けた防水パッキン３を介して隣接する一方の止水体１Ａ又は止水体１Ｂを重ね合わせると、止水体１Ａ又は止水体１Ｂの防水パッキン３が挟まれて防水パッキン３が圧縮する。このように、防水パッキン３を圧縮させて、止水体１Ａ,１Ｂ又は止水体１Ａ同士を連結することによって、防水パッキン３によって止水体１Ａ,１Ｂ又は止水体１Ａ同士の隙間が塞がれる。こうして止水体１Ａ,１Ｂ又は止水体１Ａ同士をコ字型に連結することによって図５に示すように、家屋や建物の玄関口あるいは地下鉄や地下道の入口を囲むように止水体１Ａ,１Ｂを配置する。この際、Ｌ型に屈曲した止水体１Ａをコーナ部に配置し、これら止水体１Ａ間に止水体１Ｂを配置する。なお、図中符号９は側壁板２，２の下端縁から外側に折曲した設置用のフランジ部である。フランジ部９の下方には防水パッキン１３が、防水パッキン３と同様に適宜手段により固定されている。
【００３４】
また、前記止水体１Ａ,１Ｂを連結する際、連結金具１０を用いる。この連結金具１０は、図３に示すように、左右一対の挿入軸１１と、これら挿入軸１１を連結する湾曲状の握部１２とを備え、止水体１Ａ,１Ｂには挿入軸１１を挿入嵌合するための中空状の受部１３が溶接などの適宜手段で固定されている。
【００３５】
さらに、図１及び図４に示すように、前記止水体１Ａ，１Ｂは嵌合孔１４ａを有する嵌合部１４を備え、止水体１Ａ，１Ｂのそれぞれの嵌合孔１４ａに、係止棒１５が挿通され、嵌合して固定される。
【００３６】
以上のように構成される本実施例は、止水体１Ａの側壁板２，２の自由端部となる下端部を開いて隣接する止水体１Ａの一端縁を防水パッキン３を介して重ね合わせた後、止水体１Ａ,１Ｂの受部１２に連結金具１０の挿入軸１１を挿入することによって、止水体１Ａ,１Ｂを相互に連結する。そして、連結する止水体１Ａ,１Ｂを家屋や建物の玄関口あるいは地下鉄や地下道の入口を囲むようにコ字型に配置することによって、屋内への雨水の侵入を防いで浸水を防止することができる。しかも、止水体１Ａ,１Ｂ又は止水体１Ｂ,１Ｂの間には圧縮した防水パッキン３が介在してあるので、止水体１Ａ,１Ｂ又は止水体１Ｂ,１Ｂの隙間から内部に洩れる雨水を防水パッキン３で効果的に遮断でき、更に、接地部分からの漏水をフランジ部９の下方に設けた防水パッキン１３によって遮断でき、水洩れを効果的に防ぐことが可能である。しかも、止水体１Ａ,１Ｂは構造が簡単で製造コストも安価に抑えられるとともに、軽量で取り扱いに便利である。さらに、連結時において、側壁板２，２の下端部を開いて弾性復元力によって隣接する止水体１Ａ又は止水体１Ｂに被せて隣接するだけで止水体１Ａ,１Ｂ又は止水体１Ｂ,１Ｂを簡単に連結することができ、また、止水体１Ａ,１Ｂに設けた受部１２に連結金具１０の挿入軸１１を挿入するとともに、止水体１Ａ,１Ｂに設けた嵌合部１４の嵌合孔１４ａに係止棒１５を挿入するだけで止水体１Ａ,１Ｂ又は止水壁１Ｂ,１Ｂを強固に連結固定することができ、これら止水体１Ａ,１Ｂ又は止水体１Ｂ,１Ｂの連結作業も極めて簡単かつ迅速に行える。さらに、複数の止水体１Ａ又は止水体１Ｂを組み合わせて家屋や建物の玄関口あるいは地下鉄や地下道の入口を囲むことから、玄関口あるいは入口の大きさに合わせて止水壁５の長さを調整することが可能であり、汎用性にも優れる。また、上下に重ね合わせて保管できるので、保管場所の省スペース化も可能である。また、水が引いた後、止水体１Ａ又は止水体１Ｂを分解して繰り返し使用することができるから、合理的であり、導入コストも低く抑えられるから、小さな事業所や店舗、或いは個人の住宅等の小規模な施設や建物において、集中豪雨などの浸水対策として極めて有効的である。
【００３７】
また、図６に示すように、止水体１Ｂを剛性の高い金属又は合成樹脂で形成される左右に配置された端部止水体２０と、例えば弾性変形可能なゴム製の連結部止水体２１とによって構成し、左右に配置された端部止水体２０を連結部止水体２１によって連結することで、止水体１Ｂを湾曲させることができる。このような止水体１Ｂを用いることで、例えば道路のカーブ沿いにおいて、道路からの浸水を防ぐ場合において、カーブの曲率に応じて止水体１Ｂを湾曲させて組み上げることができるため、予め曲率に対応した止水体１Ｂを用意する必要がなく、単一の形状の止水体１Ｂで、直線状に配置することも、アーチ状に配置することも可能となり、利用者が浸水の防止を所望する地形に柔軟に対応することができる。連結部２１をゴム製としたが、合成樹脂や金属製の蛇腹を用いてもよい。
【００３８】
以上、本発明の一実施例を詳述したが、本発明は前記実施例に限定されるものでなく、本発明の要旨の範囲内で種々の変形実施が可能である。例えば、止水体１Ａ又は止水体１Ｂの形状などは前記実施例に限定されるものではなく、全体に弧状に成形して連結した際、アーチ型としてもよい。さらに、止水体１Ａ又は止水体１Ｂの材質として合成樹脂によって一体成形してもよく、これら止水体１Ａ，１Ｂ及び防水パッキン３，１３、及び左右に配置された端部止水体２０、連結部止水体２１の材質は適宜設定すればよい。
【図面の簡単な説明】
【００３９】
【図１】本発明の一実施例を示す止水壁の斜視図である。
【図２】同上、止水壁の連結部分を示す断面図である。
【図３】同上、止水壁の連結部分を示す要部の斜視図である。
【図４】同上、止水壁を連結した状態を示す斜視図である。
【図５】同上、止水壁の設置状態を示す説明図である。
【図６】同上、剛性の高い左右端部止水体と、それを連結する湾曲可能な連結部止水体とで構成した止水体の斜視図である。
【符号の説明】
【００４０】
１Ａ,１Ｂ  止水体
２  側壁板
３、１３  防水パッキン
５ 止水壁
１４    係止部
１４ａ  係止孔
１５    係止棒
２０    左右端部
２１    連結部
【図１】
0004845827.tif 000002
【図２】
0004845827.tif 000003
【図３】
0004845827.tif 000004
【図４】
0004845827.tif 000005
【図５】
0004845827.tif 000006
【図６】
0004845827.tif 000007